(57)【要約】【課題】カウンタウエイトを備えた建設機械に於いて、機械の小型化に対応しつつ、居住性を損ねることなくグリースガンを格納できるようにする。【解決手段】カウンタウエイト１４に切り欠き部１８を設け、該切り欠き部１８の平面部１８ａに下方へ向けて凹部１９を形成し、この凹部１９にグリースガンの本体１７ａを格納する。グリースガンのレバー１７ｂはカウンタウエイトの鉛直面１４ａに接近した状態となるように構成してある。【選択図】  図３
2004225477.tif 000002
【特許請求の範囲】
【請求項１】
カウンタウエイトを備えた建設機械に於いて、前記カウンタウエイトにグリースガンの格納部を設けたことを特徴とする建設機械のグリースガン格納装置。
【請求項２】
上記カウンタウエイトに切り欠き部を設け、該切り欠き部の平面部に下方へ向けて凹部を形成し、この凹部にグリースガンを格納可能にした請求項１記載の建設機械のグリースガン格納装置。
【請求項３】
上記凹部はカウンタウエイトの鉛直面近傍の平面部に設けられ、該凹部にグリースガンの本体を格納したときに、該グリースガンのレバーが前記カウンタウエイトの鉛直面に接近した状態となるように構成した請求項１または２記載の建設機械のグリースガン格納装置。
【発明の詳細な説明】
【０００１】
【発明の属する技術分野】
本発明は建設機械のグリースガン格納装置に関するものであり、特に、カウンタウエイトを備えた建設機械のグリースガン格納装置に関するものである。
【０００２】
【従来の技術】
図４及び図５は建設機械の一例として油圧ショベルの上部旋回体１を示し、該上部旋回体１にオペレータキャブ２が設けられている。従来は、オペレータキャブ２の内部にグリースガン３を格納することがあるが、オペレータキャブ２の内部にはコントロールスタンドや空調装置及びダクト等があってグリースガン３を格納するスペースを確保し難い。また、グリースの匂いや汚れ等によってオペレータキャブ２の内部を清潔に保つことが困難である。従って、居住性を良好にするために、前部ハウス４の内部にグリースガン３を格納し、更に、固定用キャッチ５によって固定されている。
【０００３】
一方、ブルドーザに於いては、オペレータシートの側部の車体部分、例えばバッテリーボックスの上部空間にグリースガンを格納した構成が知られている（例えば、特許文献１参照）。
【０００４】
【特許文献１】
特開平７−１７９１５３号公報（第２〜３頁、図３）。
【０００５】
【発明が解決しようとする課題】
上記特許文献１に記載されているように、ブルドーザは一般的にオペレータキャブがないため、オペレータシートの側部にグリースガンを格納しても、グリースの匂いや汚れがあまり気にならない。
【０００６】
これに対して、従来の油圧ショベルは、一般的に前部ハウスの内部にグリースガンを格納しているが、近年、油圧ショベルの小型化によって前部ハウスの容積が減少し、グリースガンの格納スペースの確保が困難となっている。
【０００７】
そこで、カウンタウエイトを備えた建設機械に於いて、機械の小型化に対応しつつ、居住性を損ねることなくグリースガンを格納できるようにするために解決すべき技術的課題が生じてくるのであり、本発明はこの課題を解決することを目的とする。
【０００８】
【課題を解決するための手段】
本発明は上記目的を達成するために提案されたものであり、カウンタウエイトを備えた建設機械に於いて、前記カウンタウエイトにグリースガンの格納部を設けた建設機械のグリースガン格納装置、
及び、上記カウンタウエイトに切り欠き部を設け、該切り欠き部の平面部に下方へ向けて凹部を形成し、この凹部にグリースガンを格納可能にした建設機械のグリースガン格納装置、
及び、上記凹部はカウンタウエイトの鉛直面近傍の平面部に設けられ、該凹部にグリースガンの本体を格納したときに、該グリースガンのレバーが前記カウンタウエイトの鉛直面に接近した状態となるように構成した建設機械のグリースガン格納装置を提供するものである。
【０００９】
【発明の実施の形態】
以下、本発明の一実施の形態を図１乃至図３に従って詳述する。図１及び図２は建設機械の一例として油圧ショベルの上部旋回体１１を示し、該上部旋回体１１の進行方向（図中右方向）の左側にオペレータキャブ１２が設けられており、オペレータキャブ１２の後方にエンジン（図示せず）を搭載して後部ハウス１３にて被蔽するとともに、該上部旋回体１１の後部にカウンタウエイト１４を備えている。また、上部旋回体１１の右側に燃料タンクや作動油のタンク（何れも図示せず）を搭載して側部ハウス１５及び前部ハウス１６にて被蔽してある。そして、前記カウンタウエイト１４にグリースガン１７の格納部を設けてある。
【００１０】
図３はグリースガン１７の格納部を示し、前記カウンタウエイト１４の任意の場所に切り欠き部１８を設け、この切り欠き部１８の平面部１８ａに下方へ向けて凹部１９を形成する。該凹部１９はグリースガンの本体１７ａの外径よりもやや大径であり、前記切り欠き部の平面部１８ａの上方から該凹部１９へグリースガン１７を挿入したときに、グリースガンの本体１７ａが倒回しないで支承されるような深さを備えている。
【００１１】
また、該凹部１９はカウンタウエイト１４の鉛直面１４ａの近傍の平面部１８ａに設けられており、該凹部１９にグリースガンの本体１７ａを格納したときに、グリースガンのレバー１７ｂが前記カウンタウエイトの鉛直面１４ａに接近した状態となるように構成されている。好ましくは、該凹部１９にグリースガンの本体１７ａを格納したときに、グリースガンのレバー１７ｂが前記カウンタウエイトの鉛直面１４ａに当接した状態となるように構成する。尚、符号２０は、グリースガン１７を使用しない通常時に前記切り欠き部１８を被蔽するカバーである。
【００１２】
斯くして、グリースガンの本体１７ａは前記凹部１９内に格納され、且つ、グリースガンのレバー１７ｂは本体１７ａの格納に邪魔にならず、しかも、該グリースガンのレバー１７ｂが鉛直面１４ａに接近して、グリースガンの本体１７ａとレバー１７ｂとの間に前記カウンタウエイトの鉛直面１４ａが挟持された状態となるので、従来のように固定用キャッチを設けなくとも、グリースガン１７を安定的に固定することができる。
【００１３】
また、前記凹部１９内にグリースガンの本体１７ａを格納したときに、グリースガンのレバー１７ｂが前記カウンタウエイトの鉛直面１４ａに当接した状態となるように構成した場合は、グリースガンの本体１７ａとレバー１７ｂとの間に前記カウンタウエイトの鉛直面１４ａが強固に挟持されるので、グリースガン１７を使用しない作業時に振動等によってグリースガンの本体１７ａが凹部１９から抜け落ちる虞はない。
【００１４】
尚、本実施の形態では、カウンタウエイト１４の一端部に切り欠き部１８を設けたので、該切り欠き部１８の一方が開放されて逆コ字形となっているが、カウンタウエイト１４の中央部に円形若しくは多角形の切り欠き部を設けることもできる。また、カウンタウエイト１４の内部にスペースがある場合は、切り欠き部を設けずに、空いたスペースにグリースガン１７の格納部を設けてもよい。然るときは、構成が簡単となってより安価にグリースガン格納装置を構成することが可能である。
【００１５】
而して、本発明は、本発明の精神を逸脱しない限り種々の改変を為すことができ、そして、本発明が該改変されたものに及ぶことは当然である。
【００１６】
【発明の効果】
本発明は上記一実施の形態に詳述したように、請求項１記載の発明は、建設機械のカウンタウエイトにグリースガンの格納部を設けたことにより、オペレータキャブの内部にグリースガンの格納部を設けた場合に比べて、グリースの匂いや汚れ等によって居住性が悪化することはない。また、油圧ショベルの小型化によって前部ハウスの容積が減少した場合であっても、カウンタウエイトにグリースガンを格納することにより、居住性を確保しつつ、上部旋回体の更なる小型化が可能となる。
【００１７】
請求項２記載の発明は、上記カウンタウエイトに切り欠き部を設け、該切り欠き部に凹部を設けてグリースガンを格納可能にしたので、請求項１記載の発明の効果に加えて、カウンタウエイトのスペースを有効に利用することができ、コストダウンに寄与できる。
【００１８】
請求項３記載の発明は、上記凹部はカウンタウエイトの鉛直面近傍の平面部に設けられ、該凹部にグリースガンの本体を格納したときに、グリースガンのレバーがカウンタウエイトの鉛直面に接近した状態となるように構成したので、請求項１または２記載の発明の効果に加えて、グリースガンの本体は前記凹部内に格納され、且つ、グリースガンのレバーは本体の格納に邪魔にならず、しかも、該グリースガンのレバーが鉛直面に接近して、グリースガンの本体とレバーとの間に前記カウンタウエイトの鉛直面が挟持されるので、従来のように固定用キャッチを設けなくとも、グリースガンを安定的に固定することができる。
【００１９】
斯くして、建設機械の小型化に対応しつつ、オペレータの居住性を損ねることなく、グリースガンの格納装置を提供することができるとともに、カウンタウエイトのスペースの有効利用及び部品点数の減少などによりコストダウンを図ることが可能になる等、正に諸種の効果を奏する発明である。
【図面の簡単な説明】
【図１】本発明の一実施の形態を示し、油圧ショベルの上部旋回体の平面図。
【図２】本発明の一実施の形態を示し、油圧ショベルの上部旋回体の側面図。
【図３】本発明の一実施の形態を示し、カウンタウエイトに設けられたグリースガンの格納部の斜視図。
【図４】従来技術を示し、油圧ショベルの上部旋回体の平面図。
【図５】従来技術を示し、油圧ショベルの上部旋回体の側面図。
【符号の説明】
１１        上部旋回体
１４        カウンタウエイト
１４ａ      鉛直面
１７        グリースガン
１７ａ      本体
１７ｂ      レバー
１８        切り欠き部
１８ａ      平面部
１９        凹部
【図１】
2004225477.tif 000003
【図２】
2004225477.tif 000004
【図３】
2004225477.tif 000005
【図４】
2004225477.tif 000006
【図５】
2004225477.tif 000007